(57)【要約】      （修正有）【課題】発電効率の高い太陽光発電モジュールを提供する。【解決手段】順次重畳して配置される第１の基板１０１、複数の太陽電池セル２を含む光電変換素子、網状光反射層４及び第２の基板１０２を備える太陽光発電モジュールであって、複数の太陽電池セルの間には間隙３が設けられている。網状光反射層の網状枠体は間隙の下方に位置する。第１の基板と光電変換素子は第１の接着層５０１を介して接着され、網状光反射層と光電変換素子は第２の接着層５０２を介して接着される。また、網状光反射層は、第３の接着層５０３を介して第２の基板に接着される。【選択図】図１
0003218202.tif 000002
【実用新案登録請求の範囲】
【請求項１】
順次重畳して配置される第１の基板と、複数の太陽電池セルを含む光電変換素子と、網状光反射層と、第２の基板とを備え、
前記複数の太陽電池セルの間には間隙が設けられており、
前記網状光反射層の網状枠体は、前記間隙の下方に位置する、ことを特徴とする太陽光発電モジュール。
【請求項２】
第１の接着層と第２の接着層とをさらに備え、
前記第１の基板と前記光電変換素子は前記第１の接着層を介して接着され、前記網状光反射層と前記光電変換素子は前記第２の接着層を介して接着される、ことを特徴とする請求項１に記載の太陽光発電モジュール。
【請求項３】
前記網状光反射層は、網状に配列された複数の貫通孔を更に有し、
前記複数の貫通孔のうちの１つの貫通孔は、前記光電変換素子のうちの対応する１つの太陽電池セルの面積以上の横断面積を有し、前記対応する１つの太陽電池セルの前記第２の基板における正投影は、前記１つの貫通孔の前記第２の基板における正投影内に位置して、前記網状光反射層の網状枠体を前記複数の太陽電池セルの間に設けられた間隙の直下方に位置させる、ことを特徴とする請求項１に記載の太陽光発電モジュール。
【請求項４】
前記網状光反射層は、複数の格子をさらに備え、
前記複数の格子の各々は、前記複数の貫通孔のうちの１つの貫通孔及び前記１つの貫通孔を取り囲む前記網状枠体の対応するエッジを含み、前記光電変換素子のうちの１つの太陽電池セルは、前記複数の格子の対応する１つの格子の直上方に配置される、ことを特徴とする請求項３に記載の太陽光発電モジュール。
【請求項５】
前記網状枠体の内の１つのエッジの幅は、前記複数の太陽電池セルの間に設けられた対応間隙の幅以下である、ことを特徴とする請求項４に記載の太陽光発電モジュール。
【請求項６】
第３の接着層をさらに備え、
前記網状光反射層は、前記第３の接着層を介して前記第２の基板に接着される、ことを特徴とする請求項２に記載の太陽光発電モジュール。
【請求項７】
前記第１の接着層、前記第２の接着層又は前記第３の接着層は、エチレン−酢酸ビニル共重合体接着層、エチレンーエチルアクリレート接着層及びポリアミド接着層からなる群より選択される何れか１つである、ことを特徴とする請求項６に記載の太陽光発電モジュール。
【請求項８】
前記第１の基板又は前記第２の基板は、高透過強化ガラス、ＡＲコート付き反射防止ガラス、反射防止エンボス加工ガラス又は透光性重合体バックシートからなる群より選択される何れか１つである、ことを特徴とする請求項１〜７のいずれか１項に記載の太陽光発電モジュール。
【請求項９】
前記複数の太陽電池セルは両面太陽電池セルである、ことを特徴とする請求項１〜７のいずれか１項に記載の太陽光発電モジュール。
【請求項１０】
前記光反射層の材料は両面反射材である、ことを特徴とする請求項１〜７のいずれか一項に記載の太陽光発電モジュール。
【請求項１１】
前記光反射層の厚さは０．１〜１ｍｍである、ことを特徴とする請求項１〜７のいずれか１項に記載の太陽光発電モジュール。
【請求項１２】
前記網状枠体の前記第２の基板における正投影は、前記間隙の前記第２の基板における正投影内に位置する、ことを特徴とする請求項１に記載の太陽光発電モジュール。
【請求項１３】
前記複数の貫通孔のうちの各々は、対向して配置される第１の開口と第２の開口を含み、
前記第１の開口は前記間隙に隣接し、前記第２の開口は前記第２の基板に隣接し、前記第１の開口の第２の基板における正投影は、前記第２の開口の第２の基板における正投影より大きく、
前記対応する１つの太陽電池セルの前記第２の基板における正投影は、前記１つの貫通孔の第２の開口の前記第２の基板における正投影内に位置する、ことを特徴とする請求項３に記載の太陽光発電モジュール。
【請求項１４】
前記複数の貫通孔の少なくとも１つの貫通孔は、前記第２の基板に直交な平面における断面形状が台形状である、ことを特徴とする請求項１３に記載の太陽光発電モジュール。
【請求項１５】
前記複数の貫通孔の各々の貫通孔の内壁には、前記内壁に照射する光線の反射角度を調整するための定方向反射構造が設けられている、ことを特徴とする請求項１３に記載の太陽光発電モジュール。
【請求項１６】
第１の接着層および第３の接着層をさらに備え、
前記第１の基板と前記光電変換素子は第１の接着層を介して接着され、前記網状光反射層と前記第２の基板は前記第３の接着層を介して接着され、前記網状光反射層は両面光反射層で、前記複数の太陽電池セルは両面太陽電池セルであり、
前記第１の接着層の屈折率は前記第１の基板の屈折率よりも大きく、前記第１の基板の屈折率は空気の屈折率よりも大きく、前記第３の接着層の屈折率は前記第２の基板の屈折率よりも大きく、前記第２の基板の屈折率は前記空気の屈折率よりも大きい、ことを特徴とする請求項１２〜１３の何れか１項に記載の太陽光発電モジュール。
【請求項１７】
前記網状光反射層は、前記第１の基板に隣接する表面の反射率が＞８０％であり、前記第２の基板に隣接する表面の反射率が＞６０％である、ことを特徴とする請求項１に記載の太陽光発電モジュール。
【考案の詳細な説明】
【技術分野】
【０００１】
本出願は、２０１７年７月１７日に出願された中国登録実用新案２０１７２０８６７６３０．８号、「太陽光発電モジュール」の優先権を主張し、その記載内容は参照によって本願に組み込まれる。
【背景技術】
【０００２】
本出願は、光起電力発電の技術分野に属する発電モジュールに関し、特に太陽光発電モジュールに関する。
【考案の概要】
【課題を解決するための手段】
【０００３】
光起電力発電はクリーンエネルギーとして広く認識されており、現在、各太陽電池の大手製造業者は、高効率の電池及び光起電力発電モジュールに適する両面発電技術の開発に多くの資源を投入している。よって、両面発電技術はかなりの進歩を見せている。
【０００４】
本考案のいくつかの実施形態は、太陽光発電モジュールを提供する。該太陽光発電モジュールは、順次重畳して配置される第１の基板、複数の太陽電池セルを含む光電変換素子、網状光反射層及び第２の基板を備え、前記複数の太陽電池セルの間には間隙が設けられ、前記網状光反射層の網状枠体は前記間隙の下方に位置する。
【０００５】
いくつかの実施形態では、前記太陽光発電モジュールは、更に、第１の接着層及び第２の接着層を備え、前記第１の基板と前記光電変換素子は、第１の接着層を介して接着され、前記網状光反射層と前記複数の太陽電池セルは、第２の接着層を介して接着されている。
【０００６】
いくつかの実施形態では、前記網状光反射層は、更に網状に配列された複数の貫通孔を有する。前記複数の貫通孔のうちの１つの貫通孔は、前記光電変換素子のうちの対応する１つの太陽電池セルの面積以上の横断面積を有し、前記対応する１つの太陽電池セルの前記第２の基板における正投影は、前記１つの貫通孔の前記第２の基板における正投影内に位置して、前記網状光反射層の網状枠体を前記複数の太陽電池セルの間に設けられた間隙の直下方に位置させる。
【０００７】
いくつかの実施形態では、前記網状光反射層はさらに複数の格子を有しても良い。前記複数の格子の各々は、前記複数の貫通孔のうちの１つの貫通孔及び前記１つの貫通孔を取り囲む前記網状枠体の対応するエッジを含み、前記光電変換素子のうちの１つの太陽電池セルは、前記複数の格子の対応する１つの格子の直上方に配置される。
【０００８】
いくつかの実施形態では、前記網状枠体の内の１つのエッジの幅は、前記複数の太陽電池セルの間に設けられた対応間隙の幅以下である。
【０００９】
いくつかの実施形態では、前記太陽光発電モジュールは第３の接着層をさらに有し、前記網状光反射層は、前記第３の接着層を介して前記第２の基板に接着される。
【００１０】
いくつかの実施形態では、前記第１の接着層、前記第２の接着層又は前記第３の接着層は、エチレン−酢酸ビニル共重合体接着層、エチレンーエチルアクリレート接着層及びポリアミド接着層からなる群より選択される何れか１つである。
【００１１】
いくつかの実施形態では、前記第１の基板又は前記第２の基板は、高透過強化ガラス、反射防止ガラス（ＡＲコート付き）、反射防止エンボス加工ガラス又は透光性重合体バックシートからなる群より選択される何れか１つである。
【００１２】
いくつかの実施形態では、前記複数の太陽電池セルは、両面太陽電池セルである。
【００１３】
いくつかの実施形態では、前記網状光反射層の材料は、両面反射材である。
【００１４】
いくつかの実施形態では、前記網状光反射層の厚さは０．１〜１ｍｍである。
【００１５】
いくつかの実施形態では、前記網状枠体の前記第２の基板における正投影は、前記間隙の前記第２の基板における正投影内に位置する。
【００１６】
いくつかの実施形態では、前記複数の貫通孔のうちの各々は、対向して配置される第１の開口と第２の開口を含み、前記第１の開口は前記間隙に隣接、前記第２の開口は前記第２の基板に隣接し、前記第１の開口の第２の基板における正投影は、第２の開口の第２の基板における正投影より大きく、前記対応する１つの太陽電池セルの前記第２の基板における正投影は、前記１つの貫通孔の第２の開口の前記第２の基板における正投影内に位置する。
【００１７】
いくつかの実施形態では、前記複数の貫通孔の少なくとも１つの貫通孔は、前記第２の基板に直交な平面における断面形状が台形状である。
【００１８】
いくつかの実施形態では、前記複数の貫通孔の各々の貫通孔の内壁には、前記内壁に照射する光線の反射角度を調整するための定方向反射構造が設けられている。
【００１９】
いくつかの実施形態では、前記太陽光発電モジュールは、第１の接着層及び第３の接着層をさらに備える。前記第１の基板と前記光電変換素子は第１の接着層を介して接着され、前記網状光反射層と前記第２の基板は前記第３の接着層を介して接着され、前記網状光反射層は両面光反射層であり、前記複数の太陽電池セルは両面太陽電池セルであり、前記第１の接着層の屈折率は前記第１の基板の屈折率よりも大きく、前記第１の基板の屈折率は空気の屈折率よりも大きく、前記第３の接着層の屈折率は前記第２の基板の屈折率よりも大きく、前記第２の基板の屈折率は前記空気の屈折率よりも大きい。
【００２０】
いくつかの実施形態では、前記網状光反射層は、第１の基板に隣接する表面の反射率が＞８０％であり、第２の基板に隣接する表面の反射率が＞６０％である。
【図面の簡単な説明】
【００２１】
図面は、本考案をより深く理解するためのものであって、明細書の一部をなすと共に、本出願の実施例と共に本考案を説明するものであり、本考案を限定するものとは意図していない。
【図１】本考案のいくつかの実施形態に係る太陽光発電モジュールを示す構造図である。
【図２】本考案のいくつかの実施形態に係る網状光反射層を示す構造図一である。
【図３】本考案のいくつかの実施形態に係る網状光反射層を示す構造図二である。
【図４】本考案のいくつかの実施形態に係る網状光反射層を示す構造図三である。
【図５】図４のａ−ａ’線断面図である。
【考案を実施するための形態】
【００２２】
本考案の目的、特徴および利点をより明確にするため、以下、図面を参照し、本考案の実施形態を詳しく説明する。なお、明らかに不可能な場合を除き、本考案の実施例および実施例の特徴は、適宜の組み合わせが可能である。
【００２３】
従来の技術では、光起電力発電モジュールは、裏面が透明ガラスや透明重合体材料によって封止されるため、透過光の損失が大きいという不具合が存する。太陽光発電モジュールは、電池セル、及び電池セルの裏面に位置して太陽電池モジュールを封止するための透明ガラス又は透明な重合体材料を備える。電池セルに入射する光の一部は、電池セル間の間隙３を通過して電池セルの裏面に到達する時、光起電力発電モジュールを封止する透明ガラス又は透明な重合体材料により、光損失が多く、この部分の光は有効に利用されない。
【００２４】
図１及び図３に示すように、本考案のいくつかの実施の形態に係わる太陽光発電モジュールは、第１の基板１０１、第２の基板１０２、複数の太陽電池セルを含む光電変換素子２、及び網状光反射層４を備える。第１の基板１０１、光電変換素子２、網状光反射層４、及び第２の基板１０２は、順次重畳して配置されている。光電変換素子２の複数の太陽電池セルの間には間隙３が設けられ、網状光反射層４の網状枠体４００は、複数の太陽電池セルの間の間隙３の下方に設けられている。
【００２５】
言うまでもなく、前記太陽電池セルは、片面太陽電池又は両面太陽電池である。複数の太陽電池セルは、様々な方式で配列される。例えば、複数の太陽電池セルは、複数の太陽電池セルの間に間隙３が設けられるように、間隔を置いて並列に配置される。複数の太陽電池セルは、組み合わされて規則的な形状を形成する。
【００２６】
いくつかの実施形態では、複数の太陽電池セルは、組み合わされて矩形を形成する。複数の太陽電池セルは、導電性材料を介して複数のバッテリーアレイを形成するように直列接続される。導電性材料は、溶接帯、導電性テープまたは銅帯を含むが、これに限定されない。
【００２７】
本考案の実施例に係わる太陽光発電モジュールを用いて発電する場合、外部より第１の基板１０１を透過した光の一部は、光電変換素子の第１の基板１０１に隣接する表面に照射して、該光電変換素子を電力出力可能にする。外部より第１の基板１０１を透過した光の他の一部は、複数の太陽電池セルの間に設けられた間隙３を通過し、網状光反射層の網状枠体４００の第１の基板に隣接する表面に照射される。そして、この光の他の一部は、網状光反射層の網状枠体４００の第１の基板に隣接する表面によって反射され、再度間隙３を通過して第１の基板１０１に入射される。第１の基板１０１によって、これらの光は全部または一部が反射され、第１の基板１０１で反射された光は前記複数の太陽電池セルに照射される。これにより、光の利用効率が向上される。
【００２８】
いくつかの実施形態では、図２に示すように、前記太陽電池モジュールに含まれる複数の太陽電池セルは、両面太陽電池セルであり、網状光反射層４の材質は両面反射材料である場合、即ち網状光反射層４が両面光反射層でる場合、網状光反射層４の網状枠体４００が複数の太陽電池セルの間に設けられた間隙３の下方に位置し、網状光反射層４に含まれる網状枠体４００が太陽電池セル２を遮断しないので、外部より第２の基板１０２を透過した光は、網状枠体４００に実質的に遮蔽されることがなく、光電変換素子２の太陽電池セルに出射される。よって、網状枠体４００は、主として太陽電池セルの間隙３の下方、及び太陽電池セルのない他の領域に分布される。いくつかの実施形態では、第１の基板１０１は受光側に位置付けられる。
【００２９】
太陽電池モジュールを用いて発電する場合、外部より第１の基板１０１を透過して光電変換素子の第１の基板１０１に隣接する表面に照射する光を利用する以外、外部より第２の基板１０２を透過して光電変換素子の第２の基板１０２に隣接する表面に照射する光を利用することもできる。また、網状光反射層４は両面光反射層なので、外部より第２の基板１０２を透過した光の一部は、光電変換素子の複数の太陽電池セルの第２の基板に隣接する表面に照射するとともに、外部より第２の基板１０２を透過した光の他の一部は、網状枠体４００の第２の基板１０２に隣接する表面に照射する。網状枠体４００の第２の基板１０２に隣接する表面によって、この光の他の一部は第２の基板１０２に反射され、そして、第２の基板１０２によって、光電変換素子の複数の太陽電池セルに部分的また全部反射されるので、該複数太陽電池セルの表裏両側での透過光の反射率は向上されるようになる。
【００３０】
また、網状光反射層４は、網状枠体４００が複数の太陽電池セルの間に設けられた間隙３の下方に位置する場合、光電変換素子の複数の太陽電池セルの第２セル１０２に隣接する表面の光吸収を影響しないと共に、外部より複数の太陽電池セル３の間に設けられた間隙を通過した光の反射率を効果的に向上して、透過光の損失を減少する。これにより、前記太陽光発電モジュールは、網状光反射層４で反射された光を十分に利用して発電することができるので、前記太陽光発電モジュールの発電効率は、従来の両面発電モジュールに比べて大幅に向上される。
【００３１】
いくつかの実施形態では、図２に示すように、前記網状光反射層４の厚さは０．１〜１ｍｍである。例えば、光反射層４の厚さは、０．１ｍｍ、０．６ｍｍ又は１ｍｍである。網状光反射層４の厚さが１ｍｍを上回ると、網状光反射層４は比較的厚くなり、太陽光発電モジュールの軽薄化に有利でない。網状光反射層４の厚さが０．１ｍｍを下回ると、網状光反射層４に含まれる網状枠体４００の光反射効果は抑制されるようになる。これに対して、網状光反射層４の厚さが０．１〜１ｍｍである場合、網状光反射層４に良好な反射効果を持たせると共に、太陽光発電モジュールの厚さを過度に増加させることがない。
【００３２】
いくつかの実施形態では、前記太陽電池モジュールに含まれる複数の太陽電池セルが両面太陽電池セルである場合、光電変換素子の第１の基板１０１に隣接する表面を、該複数の太陽電池セルの主な太陽光吸収面、光電変換素子の第２の基板１０２に隣接する表面を該複数の太陽電池セルの補助的な太陽光吸収面とすると、網状光反射層４が両面光反射層である時、網状光反射層の第１の基板１０１に隣接する表面の反射率＞８０％であり、これに対して網状光反射層の第２の基板１０２に隣接する表面の反射率は＞６０％である。網状光反射層４としては、ＴＰＴ（Ｔｅｄｌａｒ／ＰＥＴ／Ｔｅｄｌａｒ）、ＰＥＴ（Ｐｏｌｙｅｔｈｙｌｅｎｅ  ｔｅｒｅｐｈｔｈａｌａｔｅ）又はアルミ箔であっても良い。反射率とは、物体によって反射された放射エネルギーが全放射エネルギーに占めるパーセンテージとして定義される。
【００３３】
図３に示すように、前記網状光反射層４は、更に網状に配列された複数の貫通孔４０２を有する。該複数の貫通孔４０２のうちの１つの貫通孔は、光電変換素子２のうちの対応する１つの太陽電池セルの面積以上の横断面積を有する。光電変換素子２のうちの１つの太陽電池セルは、第２の基板における正投影が、前記複数の貫通孔４０２のうちの対応する１つの貫通孔の第２の基板における正投影内に位置して、網状光反射層４に含まれる網状枠体４００を前記複数の太陽電池セル２の間に設けられた間隙の直下方に位置させる。これにより、発電モジュールの特性を確保すると共に、光電変換素子の第１の基板１０１に隣接する表面及び第２の基板１０２に隣接する表面の太陽光吸収率（又は利用率）を高めることができ、発電モジュールの発電量は向上される。
【００３４】
図２に示すように、前記網状光反射層４は、複数の格子４０１を有する。該複数の格子４０１の各々は、複数の貫通孔４０２のうちの１つの貫通孔及び該１つの貫通孔を取り囲む網状枠体４００の対応するエッジを含む。前記光電変換素子２のうちの１つの太陽電池セルは、複数の格子４０１のうちの対応する１つの格子の直上方に配置されて、網状光反射層４の網状枠体４００を複数の太陽電池セルの間に設けられた間隙３の直下方に位置させ、これにより、網状光反射層４による、光電変換素子の第２の基板１０２に隣接する表面の太陽光吸収への影響を抑制乃至回避することができ、よって光電変換素子の第２の基板１０２に隣接する表面に太陽光を最大限に吸収させ、吸収した太陽光を発電に利用する。これと同時に、網状光反射層４が両面の網状光反射層である場合、網状光反射層４の網状枠体４００の両面反射特性を利用し、光電変換素子２の第１の基板に隣接する表面と、光電変換素子２の第２の基板１０２に隣接する表面の透過光の反射効率を効果的に向上して、透過光の損失を減少することにより、前記太陽光発電モジュールの発電効率を、従来の両面発電モジュールと比較して大幅に改善させる。
【００３５】
例示的には、網状枠体４００の各々のエッジの幅が過度に大きくならないように、網状枠体４００の１つのエッジは、複数の太陽電池セル２に設けられた対応間隙３以下の幅を有する。網状枠体４００の１つのエッジが過度に大きい場合、該網状枠体４００の第２の基板１０２における正投影は、光電変換素子２のうちの対応する１つの太陽電池セルの第２の基板１０２における正投影と多少重畳して、網状枠体４００は太陽電池セル２の第２の基板１０２に隣接する表面の太陽光吸収能力を影響し、ひいては複数の太陽電池セルの発電効率を低下させる。
【００３６】
いくつかの実施形態では、太陽光発電モジュール１０１は、順次重畳して配置される第１の基板１０１、第１の接着層５０１、複数の太陽電池セル２、第２の接着層５０２、光反射層４及び第２の基板１０２を備える。ここでは、第１の基板１０１と前記複数の太陽電池セル２は、第１の接着層５０１を介して接着され、網状光反射層４と前記複数の太陽電池セル２は、第２の接着層５０２を介して接着される。
【００３７】
いくつかの実施形態では、図１に示すように、太陽光発電モジュール１０１は、順次重畳して配置される第１の基板１０１、第１の接着層５０１、複数の太陽電池セルを含む光電変換素子２、第２の接着層５０２、光反射層４、第３の接着層５０３及び第２の基板１０２を備える。第１の基板１０１と第２の基板１０２は、高透過強化ガラス、エンボス加工ガラスを含む高透過強化ガラス、ＡＲコート付き反射防止ガラス、反射防止エンボス加工ガラス又は透光性重合体バックシート（例えば透明重合体バックシート）からなる群より選択される何れか１つである。第１の基板１０１と第２の基板１０２は、光電変換素子２の複数の太陽電池セルを固定、保護するように配置される。第１の基板１０１と光電変換素子２は、第１の接着層５０１を介して接着される。網状光反射層４と光電変換素子２は、第２の接着層５０２を介して接着される。網状光反射層４は、第３の接着層５０３を介して第２の基板１０２と接着される。網状光反射層４と太陽光発電モジュールの第１の接着層５０１、第２の接着層５０２及び第３の接着層５０３は相容性を有さない。第１の接着層５０１、第２の接着層層５０２および第３の接着層５０３は、エチレン−酢酸ビニル共重合体（ＥＶＡ：ｅｔｈｙｌｅｎｅ−ｖｉｎｙｌ  ａｃｅｔａｔｅ  ｃｏｐｏｌｙｍｅｒｅｖａ）接着層、エチレンーエチルーアクリレート（ＥＥＡ：Ｅｔｈｙｌｅｎｅ  Ｅｔｈｙｌ  Ａｃｒｙｌａｔｅ）、及びポリアミド接着層（ＰＡ：Ｐｏｌｙａｍｉｄｅ）からなる群より選択される何れか１つである。第１の接着層５０１、第２の接着層５０２と第３の接着層５０３は、太陽光発電モジュールの各層状構造を固定するように配置される。
【００３８】
いくつかの実施形態では、図１に示すように、第１の接着層５０１、第２の接着層５０２、および第３の接着層５０３は、太陽光発電モジュールに含まれる第１の基板１０１と、複数の太陽電池セルを含む光電変換素子２と、網状光反射層４と、第２の基板１０２と接着するように配置される。
【００３９】
いくつかの実施形態では、前記太陽光発電モジュールに含まれる複数の太陽電池セルは、両面太陽電池セルである。このとき、前記網状枠体４００は、第２の基板１０２における正投影が間隙３の第２の基板１０２における正投影内に位置する。これにより、第２の基板１０２を通過し複数の太陽電池セルの第２の基板１０２に隣接する表面へ照射する光は、網状枠体４００によって遮断されることが基本的に回避できるので、光電変換素子の第２の基板１０２に隣接する表面の光吸収率は向上される。
【００４０】
いくつかの実施形態では、前記複数の貫通孔４０２の各々は、対向して形成された第１の開口４０２ａと第２の開口４０２ｂを有する。第１の開口４０２ａは、間隙３に隣接する。第２の開口４０２ｂは、第２の基板１０２に隣接する。第１の開口４０２ａの第２の基板１０２における正投影は、第２の開口４０２ｂの第２の基板１０２における正投影よりも大きいので、貫通孔４０２はフレア構造に形成される。
【００４１】
例示的には、前記光電変換素子２のうちの１つの太陽電池セルは、第２の基板１０２における正投影が、対応する１つの貫通孔の第２の開口４０２ｂの第２の基板１０２の正投影内に位置して、光電変換素子２の第１の基板１０１に隣接する表面上の各位置で外部より第１の基板１０１を透過した太陽光を受けさせるようにする。
【００４２】
前記各々の貫通孔４０２の内壁は、網状枠体４００の側面である。よって、外部より第１の基板１０１を透過した光は、網状光反射層４に照射する時、網状枠体４００の第１の基板１０１に隣接する表面だけでなく、網状枠体４００の側面にも照射できる。また、各々の貫通孔４０２は、フレア構造である場合、網状枠体４００の側面は略斜面形状となる。従って、網状枠体４００の側面は外部より第１の基板１０１を透過した光を反射するだけでなく、これら反射された光を、光電変換素子の第１の基板１０１に隣接する表面により良く入射させることができる。
【００４３】
例示的には、前記網状枠体４００の側面傾斜度は、該側面で反射される光の出射角を決定する。網状枠体４００の側面の傾斜度が大きいほど、該側面から反射された光は、光電変換素子の第１の基板１０１に隣接する表面に入射しやすくなる。
【００４４】
いくつかの実施形態では、前記複数の貫通孔４０２のうちの１つの貫通孔４０２がフレア構造である場合、該１つの貫通孔は角柱構造または円錐台形状であり、この場合、該１つの貫通孔４０２の第１の基板１０１に直交な平面における断面形状は台形である。
【００４５】
いくつかの実施形態では、図５に示すように、前記複数の貫通孔４０２の各々の内壁には、該内壁に照射する光線の反射角度を調整するための定方向反射構造４０３が設けられて、該内壁に入射する光を少なくとも１つの太陽電池セルによりよく吸収させる。
【００４６】
例示的には、前記定方向反射構造体４０３は、円角状反射構造、面取り反射構造または異形状反射構造であるが、これに限定されるものではない。
【００４７】
いくつかの実施形態では、図１に示すように、前記網状光反射層４は、両面光反射層である。複数の太陽電池セルは、両面太陽電池セルである。第１の接着層５０１の屈折率は、第１の基板１０１の屈折率よりも大きい。第１の基板１０１の屈折率は、空気の屈折率よりも大きい。外部より第１の基板１０１を透過した光は、網状光反射層４に含まれる網状枠体４００に照射した後、網状枠体４００で反射された光は、対応する間隙３を通過して第１の接着層５０１に照射するとき、第１の接着層５０１の屈折率と第１の基板１０１の屈折率と空気の屈折率とは、網状枠体４００で反射された光が第１の基板１０１によって光電変換素子の第１の基板１０１に隣接する表面に殆ど又は完全反射されるように互いに整合される。
【００４８】
同様に、図１に示すように、第３の接着層５０３の屈折率は第２の基板１０２の屈折率よりも大きく、第２の基板１０２の屈折率は空気の屈折率よりも大きい。外部より第２の基板１０２を透過した光が網状光反射層４に含まれる網状枠体４００に照射した後、網状枠体４００で反射された光は対応する間隙３を通過して第３の接着層５０３に照射するとき、第３の接着層５０３の屈折率と、第２の基板１０２の屈折率と、空気の屈折率とは、網状枠体４００によって反射された光が第２の基板１０２によって光電変換素子の第２の基板１０２に隣接する表面に殆ど又は完全に反射されるように互いに整合される。
【００４９】
いくつかの実施形態では、太陽光発電モジュールに含まれる複数の太陽電池セルは、両面太陽電池セルである。該光電変換素子の第１の基板１０１に隣接する表面を主な太陽光吸収面、該光電変換素子の第２の基板１０２に隣接する表面を補助的な太陽光吸収面とする場合、網状光反射層の第１の基板に隣接する表面の反射率は＞８０％であり、網状光反射層の第２の基板に隣接する表面の反射率は＞６０％である。これにより、網状光反射層の第１の基板に隣接する表面により多くの光を第１の基板１０１の表面に反射されるので、この部分の光は、第１の基板１０１によって光電変換素子の第１の基板１０１に隣接する表面に反射され、よって太陽熱発電モジュールの発電効率は向上される。
【００５０】
以上は本考案の実施形態を例示的に説明した。その内容は本考案をより良く理解するためのものであり、本考案を限定するものではない。当業者であれば、本考案で開示された精神および範囲から逸脱することなく、実施の形態および細部を適宜に置き換え又は変更することができる。本考案の保護の範囲は、特許請求の範囲によって定義される範囲を準拠する。
【図１】
0003218202.tif 000003
【図２】
0003218202.tif 000004
【図３】
0003218202.tif 000005
【図４】
0003218202.tif 000006
【図５】
0003218202.tif 000007